(57)【要約】【課題】撮像装置における撮影時の誤入力を防止する。【解決手段】表示部２４は、撮像動作に係る設定内容に対応する設定メニューアイコンを表示画面Ｇ１に表示させ、タッチパネル２３はこの設定メニューアイコンに対する外部からの接触を検出する。タッチパネル２３から接触を検出すると、設定メニューアイコンに対応する設定内容を変更し、操作部２７におけるシャッターキーの半押しが操作されたと判断すると、タッチパネル２３のうち設定メニューアイコンが表示された領域からの接触の検出を無効化する。【選択図】図４
2010050783.tif 000002
【特許請求の範囲】
【請求項１】
撮像動作に係る設定内容に対応する指標を表示する表示手段と、
この表示手段における表示画面上に設けられ、前記表示手段に表示された指標に対する外部からの接触を検出する接触検出手段と、
この接触検出手段によって前記指標への接触が検出されると、この指標に対応する設定内容の設定項目について変更する変更手段と、
撮像手段と、
この撮像手段によって撮像される画像の記録準備期間か否かを判断する判断手段と、
この判断手段により記録準備期間と判断すると、前記接触検出手段による検出を無効化する無効化手段と、
を備えることを特徴とする撮像装置。
【請求項２】
前記判断手段により記録準備期間と判断すると、前記表示手段に表示された指標を非表示とするよう制御する表示制御手段を更に備えることを特徴とする請求項１に記載の撮像装置。
【請求項３】
外部からの接触を検出する接触検出部を有するシャッターキーを更に備え、
前記判断手段は前記記録準備期間か否かの判断を、前記接触検出部による検出の有無により判断することを特徴とする請求項１又は２に記載の撮像装置。
【請求項４】
半押し操作と全押し操作とを識別して検出する操作検出部を有するシャッターキーを更に備え、
前記判断手段は前記記録準備期間か否かの判断を、前記操作検出部による半押し操作検出の有無により判断することを特徴とする請求項１又は２に記載の撮像装置。
【請求項５】
前記表示手段は、前記撮像手段によって撮像されている画像を、前記指標とともに表示し、
前記表示制御手段は、前記画像を前記表示手段に表示させたまま前記指標のみを非表示とするよう制御することを特徴とする請求項２乃至４の何れか記載の撮像装置。
【発明の詳細な説明】
【技術分野】
【０００１】
本発明は、撮像装置に関する。
【背景技術】
【０００２】
デジタルカメラやカメラ機能付き携帯電話等の撮像装置においては、液晶モニタ等の表示画面が設けられている。この表示画面には、撮影前のライブビュー画像や撮影した画像が表示される。表示画面の前面にはタッチパネルが設置されることもあり、このタッチパネルから、設定内容の変更等の各種指示を入力することができる撮像装置が開発されている。
【０００３】
近年においては、上記のような撮像装置の小型化が進んでいる。また、画像の視認性を向上させるために表示画面の大型化が望まれている。このため、大型の表示画面を搭載した撮像装置においては、撮影時に機器本体を握る部分（グリップスペース）が小さくなってしまう。このため、撮影時にはユーザの指と表示画面が重なってしまい、表示画面における画像が視認しづらくなってしまう。
【０００４】
このような問題に対し、特許文献１には、ユーザによってカメラが把持されたことが検出されると、タッチパネルのグリップ部分（ユーザの指が当たる部分）に重ならないように、画像表示領域を変更し、当該画像の視認性を向上する技術が記載されている。
【特許文献１】特開２００３−２０９７１９号公報
【発明の開示】
【発明が解決しようとする課題】
【０００５】
しかしながら、特許文献１に開示された技術では、撮影時のライブビュー画像の視認性を向上することはできるが、撮影時に撮像装置を握った際の誤入力の防止をすることはできない。つまり、撮影時に撮像装置を握った際に、指がタッチパネルに触れてしまい、誤入力の原因となる恐れがあるからである。近年の小型化した撮像装置においては、グリップスペースが小さいため、撮影時にタッチパネル上に表示された設定メニュー等のアイコンに誤って触れてしまうおそれがある。
【０００６】
本発明は、上記問題点に鑑みて成されたものであり、その目的とするところは、撮像装置における撮影時の誤入力を防止することである。
【課題を解決するための手段】
【０００７】
上記課題を解決するために、請求項１に記載の発明は、
撮像動作に係る設定内容に対応する指標を表示する表示手段と、
この表示手段における表示画面上に設けられ、前記表示手段に表示された指標に対する外部からの接触を検出する接触検出手段と、
この接触検出手段によって前記指標への接触が検出されると、この指標に対応する設定内容の設定項目について変更する変更手段と、
撮像手段と、
この撮像手段によって撮像される画像の記録準備期間か否かを判断する判断手段と、
この判断手段により記録準備期間と判断すると、前記接触検出手段による検出を無効化する無効化手段と、
を備えることを特徴とする。
【０００８】
請求項２に記載の発明は、請求項１に記載の発明において、
前記判断手段により記録準備期間と判断すると、前記表示手段に表示された指標を非表示とするよう制御する表示制御手段を更に備えることを特徴とする。
【０００９】
請求項３に記載の発明は、請求項１又は２に記載の発明において、
外部からの接触を検出する接触検出部を有するシャッターキーを更に備え、
前記判断手段は前記記録準備期間か否かの判断を、前記接触検出部による検出の有無により判断することを特徴とする。
【００１０】
請求項４に記載の発明は、請求項１又は２に記載の発明において、
半押し操作と全押し操作とを識別して検出する操作検出部を有するシャッターキーを更に備え、
前記判断手段は前記記録準備期間か否かの判断を、前記操作検出部による半押し操作検出の有無により判断することを特徴とする。
【００１１】
請求項５に記載の発明は、請求項２乃至４の何れか記載の発明において、
前記表示手段は、前記撮像手段によって撮像されている画像を、前記指標とともに表示し、
前記表示制御手段は、前記画像を前記表示手段に表示させたまま前記指標のみを非表示とするよう制御することを特徴とする。
【発明の効果】
【００１２】
本発明によれば、撮像装置における撮影時の誤入力を防止することができる。
【発明を実施するための最良の形態】
【００１３】
まず、本発明に係る撮像装置の実施形態を適用したデジタルカメラ１０の構成について説明する。なお、本発明は図示例のものに限定されるものではない。
【００１４】
図１に、本実施の形態におけるデジタルカメラ１０の内部構成を示す。デジタルカメラ１０は、図１に示すように、制御部２０、撮像部２１、Ａ／Ｄ（Analog-Digital）変換部２２、タッチパネル２３、表示部２４、記憶部２５、画像処理部２６、操作部２７、Ｉ／Ｆ（InterFace）２８、外部記憶Ｉ／Ｏ（InputOutput）部２９等を備えて構成される。
【００１５】
制御部２０は、ＣＰＵ（Central Processing Unit）等により構成され、記憶部２５に格納された制御プログラムに従って、デジタルカメラ１０の各部を統括的に制御する。
【００１６】
撮像部２１は、レンズユニットやＣＣＤ（Charge Coupled Device）等から構成され、レンズユニットを介して入射された撮影画像をアナログ信号に光電変換する。本実施の形態においては、撮像部２１はＡＦ（Auto Focus）機能を備えており、レンズユニットの焦点距離（ピント）を変化させることができる。
【００１７】
Ａ／Ｄ変換部２２は、撮像部２１で得られたアナログ信号をデジタル信号に変換し、制御部２０へ入力する。
【００１８】
タッチパネル２３は、接触検出手段として機能し、表示部２４と一体となって設けられ、表示部２４の表示画面に接触する操作者の指の接触位置を検出する。即ち、タッチパネル２３は、例えば、表示部２４の表示画面上或いは表示画面よりも内側に設けられ、抵抗膜方式、超音波表面弾性波方式、静電容量方式等の方式により、表示画面上における接触位置のＸＹ座標を検出する。
【００１９】
図２に、本実施の形態におけるタッチパネル２３の領域を模式的に示す。
図２に示すように、タッチパネルの領域は平面座標系（以下、ＸＹ座標という）において表され、外部から接触された部分の座標を検出する。本実施の形態においては、タッチパネルの水平方向（Ｘ軸方向、図２の例では長辺）を３２０等分した座標、及び垂直方向（Ｙ軸方向、図２の例では短辺）を１８０等分した座標で表現する。タッチパネル２３は、外部からの接触によって検出した座標を制御部２０に対して入力する。
【００２０】
表示部２４は、表示手段として機能し、デジタルカメラ１０の本体の背面に設置され、ＬＣＤ（Liquid Crystal Display）やＥＬ（Electroluminescent）ディスプレイ、ＬＥＤ（Light Emitting Diode）等を備え、制御部２０から入力される表示制御信号に従って、所要の表示処理を行う。また、表示部２０は、レンズを介して入力された撮影画像を連続的に表示するファインダとしての機能も有する。なお、表示部２４を、デジタルカメラ１０の本体の背面だけでなく上面にも備えるようにしてもよい。
【００２１】
記憶部２５は、コンピュータ読み取り可能な記憶媒体としての不揮発性の半導体メモリにより構成され、制御部２０によって実行される各種制御プログラム、後述するロック処理を始めとする各種処理プログラム及びこれらのプログラムの実行に必要なパラメータや、撮像した画像データ、後述する表示内容テーブルＴ１等を記憶する。
なお、上記記憶部２５以外のその他のコンピュータ読み取り可能な媒体として、フラッシュメモリ等の不揮発性メモリ、ＣＤ−ＲＯＭ等の可搬型記録媒体を適用することが可能である。また、本発明に係るプログラムのデータを通信回線（図示せず）を介して提供する媒体として、キャリアウェーブ（搬送波）も適用可能である。
【００２２】
画像処理部２６は、画像処理のための回路から構成され、撮像部２１で撮像された画像に対し、圧縮処理等の各種画像処理を行う。
【００２３】
操作部２７は、主電源ボタン、シャッターキー、レリーズボタン、再生ボタン、モード切替ボタン、カーソルボタン等により構成され、操作部２７を構成する各種ボタンの押下による操作信号を制御部２０に出力する。
なお、ユーザは、撮像を行う際、まず操作部２７のシャッターキーを半押しする。半押しとは、シャッターキーの可動域の中間点付近までシャッターキーを押し込むことを示す。この半押し動作に対応する信号を操作部２７から制御部２０に対して入力されると、制御部２０は記録準備と判断し、撮像部２１に対し合焦動作等の設定処理を行う。
次いで、シャッターキーが全押しされると、この全押し動作に対応する信号が操作部２７から制御部２０に対して入力される。全押しとは、シャッターキーの可動域いっぱいまでシャッターキーを押し込むことをいう。この全押し動作に対応する信号を制御部２０に入力されると、半押しの際に設定した設定内容に基づいて撮像部２１による撮像画像の記録処理が行われることになる。
なお、シャッターキーには、シャッターキーに触れたことを検知する接触検出部と、半押し操作と全押し操作を検出する操作検出部を有する。接触検出部と操作検出部は、シャッターキーへの接触や、シャッターキーの押し込みを検知できる公知の技術を用いてよく、各種センサ等から構成される。
【００２４】
Ｉ／Ｆ２８は、デジタルカメラ１０と外部機器を接続するためのインターフェースであり、デジタルカメラ１０と外部機器のデータ送受信を仲介する。
【００２５】
外部記憶Ｉ／Ｏ部２９は、フラッシュメモリ等の半導体メモリが着脱可能な構成になっている。
【００２６】
次に、動作について説明する。
図３に、デジタルカメラ１０によって実行されるロック処理のフローチャートを示す。ロック処理は、撮像部２１を介して被写体の撮影を行う撮影モードの指示が操作部２７から制御部２０に対して入力された際に、制御部２０と記憶部２５に記憶されたプログラムとの協働によるソフトウェア処理により実現される。
ロック処理では、表示部２４に表示されているアイコンの領域のタッチ検出を無効化し、当該無効化された領域の表示を変更する。なお、以下における処理は制御部２０によって行われる。
【００２７】
図３に示すように、撮影モードに移行すると、表示内容テーブルＴ１が参照されることにより表示部２４に設定メニューアイコンとライブビュー画像からなる表示画面Ｇ１が表示される（ステップＳ１）。そしてこの状態において、ユーザによるシャッターキーの半押し操作により、記録準備として合焦動作等の設定処理が指示されたか否かが判断される（ステップＳ２）。尚、シャッターキーの半押し操作に限らず、シャッターキーに対しての外部からの接触を接触検出部で検出するようにしても良い。
【００２８】
図４に、ステップＳ１において参照される表示内容テーブルＴ１の一例を示す。図４に示すように、表示内容テーブルＴ１は、「表示座標」フィールド、「検出範囲」フィールド、「表示状態」フィールド、及び「設定内容」フィールド等から構成される。
「表示座標」フィールドには、レコードに対応する設定メニューアイコンが表示部２４に表示されるべき座標が格納される。座標とは、先述したタッチパネル２３上のＸＹ座標のことである。
「検出範囲」フィールドには、レコードに対応するアイコンに対するタッチパネル２３からの入力を検出する範囲の座標が格納される。具体的には、例えば「（２０，１２０）−（６０，１６０）」の値は、タッチパネル２３上の座標が（２０，１２０）と（６０，１６０）とを結ぶ線分を対角線とする長方形の領域で囲まれる座標からのタッチが検出された場合に、当該レコードに対応する設定メニューアイコンがタッチパネル２３から選択されたことを示す。つまり、「検出範囲」フィールドには、各設定メニューアイコンに対応する外部からの接触を検出する位置の情報が格納される。
「表示状態」フィールドには、表示画面Ｇ１に表示される各設定メニューアイコンのアイコン画像が格納される。これらのアイコン画像は、撮像部２１の撮像動作に係る設定内容に対応する指標として、表示部２４に表示されることになる。
「設定内容」フィールドには、レコードに対応するアイコン画像が示す撮像部２１の撮像動作に係る設定内容が格納される。
【００２９】
図５（ａ）に、ステップＳ１において表示部２４に表示される表示画面Ｇ１の一例を示す。図５（ａ）に示すように、表示画面Ｇ１は、ライブビュー画像Ｇ１ａ、及び設定メニューアイコンＢ１０〜Ｂ１６等から構成される。
ライブビュー画像Ｇ１ａは、巡回的に撮像部２１にて撮像された画像が制御部２０を介して入力されたものである。設定メニューアイコンＢ１０〜Ｂ１６は、表示内容テーブルＴ１の「表示状態」フィールドに格納されたアイコンである。
【００３０】
ステップＳ１においては、具体的には、デジタルカメラ１０は、撮像部２１により巡回的に撮像される画像をライブビュー画像Ｇ１ａとして表示画面Ｇ１に表示すると共に、表示内容テーブルＴ１の「表示座標」フィールドに格納された座標に、対応するレコードの「表示状態」フィールドに格納されたアイコン画像を表示する。
この表示画面Ｇ１が表示された状態において、例えば、タッチパネル２３の（４０、１５０）の座標をタッチした場合には、「タイマ撮影」の設定内容の設定項目を変更するメニューを表示させることができる。設定項目とは、設定内容の各項目のことをいい、例えば「タイマ撮影」であれば、タイマ撮影の設定が「５秒」、「１０秒」等のような詳細な設定をいう。この操作により、制御部２０は変更手段として機能することになる。
【００３１】
図３に戻り、シャッターキーの半押し操作が検出されず、結果として合焦動作等の設定処理が指示されないと判断した場合（ステップＳ２；ＮＯ）、処理はステップＳ１に戻る。
一方、シャッターキーの半押し操作が検出され、合焦動作等の設定処理が指示されたと判断した場合（ステップＳ２；ＹＥＳ）、記憶部２５に記憶された表示内容テーブルＴ１が参照される（ステップＳ３）。当該表示内容テーブルＴ１の「検出範囲」フィールドが参照され、表示画面Ｇ１の各アイコン画像が隠される（非表示とする）よう表示画面Ｇ２が表示され（ステップＳ４）、表示内容テーブルＴ１の「検出範囲」フィールドの領域のタッチが無効化される（ステップＳ５）。そして、合焦処理が行われ（ステップＳ６）、合焦結果が表示される（ステップＳ７）。
【００３２】
図５（ｂ）に、ステップＳ４において表示部２４に表示される表示画面Ｇ２の一例を示す。図５（ｂ）に示すように、表示画面Ｇ２はライブビュー画像Ｇ２ａ、ロック画像Ｅ１、及びロック画像Ｅ２等から構成される。
ライブビュー画像Ｇ２ａは、表示画面Ｇ１のライブビュー画像Ｇ１ａと同様である。ロック画像Ｅ１及びロック画像Ｅ２は、ステップＳ３において表示画面Ｇ１の各アイコンを隠すように表示される画像である。
ステップＳ５において、表示内容テーブルＴ１の「検出範囲」フィールドの領域のタッチが無効化されている。タッチの検出の無効化とは、タッチパネル２３がタッチされ、制御部２０に対して当該タッチされた座標が入力されても、制御部２０がタッチとみなさないことをいう。つまり、タッチパネル２３の接触により、当該接触された座標（Ｘ、Ｙ）が制御部２０に入力された場合に、制御部２０は接触をしていないと判断することを意味する。以降の説明においても同様とする。なお、このステップＳ５における処理によって、制御部２０は無効化手段、表示制御手段として機能する。
【００３３】
図５（ｂ）に示すロック画像Ｅ１及びロック画像Ｅ２は、ライブビュー画像Ｇ２ａを表示させたまま、各アイコンを隠すように表示されている。ロック画像Ｅ１及びロック画像Ｅ２の領域のタッチパネル２３からの入力は、ステップＳ４における無効化処理により受け付けないことになる。つまり、表示画面Ｇ２のロック画像Ｅ１及びロック画像Ｅ２の領域は撮影の際に、デジタルカメラ１０を把持するグリップスペースとして使用することができる。
【００３４】
図３に戻り、更に制御部２０は、ユーザによるシャッターキーの全押し操作により、撮像画像の記録処理が指示されたか否かを判断する（ステップＳ８）。そして、シャッターキーの全押し操作検出、すなわち、撮像画像の記録処理が指示されたと判断すると（ステップＳ８；ＹＥＳ）、その時点において撮像部２１が撮像した画像を制御部２０を介して画像処理部２６に出力し、これに応答する形で、画像処理部２６にて圧縮処理等の各種画像処理が施された撮像画像を記憶部２５に記憶させる記録処理を行う（ステップＳ９）。
そして、表示内容テーブルＴ１を参照し（ステップＳ１０）、各アイコン画像の表示へ戻す（ステップＳ１１）。次いで、ステップＳ５において無効化された領域のタッチパネル２３からの入力が有効化され（ステップＳ１２）、ステップＳ９にて記録処理された画像を一定時間、各設定メニューアイコンのアイコン画像とともに表示する（ステップＳ１３）。この後、一定時間が経過したか否かを判断し（ステップＳ１４）、経過した場合はステップＳ１に戻る一方（ステップＳ１４；ＹＥＳ）、経過していない場合はステップＳ１３の表示状態を維持する（ステップＳ１４；ＮО）。
【００３５】
尚、上記ステップＳ１２の処理について詳述すると、具体的には、表示内容テーブルＴ１の「検出範囲」フィールドに対応する領域のタッチパネル２３からの入力が有効化されることになる。入力の有効化とは、タッチパネル２３から制御部２０に対して座標が入力された場合に、当該座標からの接触を検出したと制御部２０が認識することをいう。つまり、表示画面Ｇ１の設定メニューアイコンＢ１０〜Ｂ１６からの入力を有効化し、設定メニューアイコンＢ１０〜Ｂ１６に対応する領域が選択された場合に、設定内容の変更をするメニューに画面遷移することになる。
【００３６】
一方、ステップＳ８にてユーザによるシャッターキーの全押し操作が無く、結果として撮像画像の記録処理が指示されなかったと判断すると（ステップＳ８；ＮО）、更に、シャッターキーの半押しが維持されているか否かを判断する（ステップＳ１５）。半押しが維持されていると判断するとステップＳ７に戻り（ステップＳ１５；ＹＥＳ）、合焦結果を表示する（ステップＳ７）。一方、半押しが維持されず、解除されたと判断すると、表示内容テーブルＴ１を参照し（ステップＳ１６）、各アイコン画像の表示へ戻す（ステップＳ１７）。次いで、ステップＳ５において無効化された領域のタッチパネル２３からの入力が有効化され（ステップＳ１８）、ステップＳ１に戻る。
【００３７】
以上のように、本実施の形態におけるデジタルカメラ１０によれば、表示画面Ｇ１が表示部２４に表示されている状態において、シャッターキーの半押し操作検出により制御部２０が記録準備と判断すると、当該アイコンに対応する領域のタッチパネル２３からの入力が無効化される。したがって、撮影の際にグリップエリアとして当該タッチパネル２３が無効化された領域を利用し、デジタルカメラ２３を把持することができるとともに、把持した時にアイコンに触れてしまうことによる誤入力を防止することができる。
【００３８】
また、制御部２０に対して画像記録指示が入力された際に、タッチパネル２３からの入力が無効化された領域に、ロック領域Ｅ１及びロック領域Ｅ２を表示部２４に表示させ、設定メニューアイコンを非表示にさせる。したがって、デジタルカメラ１０のユーザは、タッチパネル２３において、どの領域からのタッチが無効化されているかを容易に視認することができ、グリップエリアに使用できる領域を確認してデジタルカメラ１０を把持することができる。
【００３９】
また、表示部２４にロック領域Ｅ１及びロック領域Ｅ２を表示させる際に、ライブビュー画像の領域には重畳させず、アイコンが表示されている領域に重畳させるように表示させる。したがって、デジタルカメラ１０のユーザはロック領域Ｅ１及びロック領域Ｅ２を視認すると共に、撮影の際にライブビュー画像を視認することができ、撮影の際のライブビュー画像の視認性を損なうことなく撮影をすることができる。
【００４０】
また、ロック処理のステップＳ５において、表示内容テーブルＴ１の「検出範囲」フィールドに対応する領域からのタッチパネル２３からの入力を無効化するようにしたが、予め定められた領域を無効化するようにすればよく、無効化する領域はこれに限られない。例えばタッチパネル２３の全面を無効化するようにしてもよい。
【００４１】
その他、本実施の形態に係るデジタルカメラ１０を構成する各装置の細部構成及び細部動作に関しても、発明の趣旨を逸脱することのない範囲で適宜変更可能である。
【図面の簡単な説明】
【００４２】
【図１】本実施の形態におけるデジタルカメラを示す機能ブロック図である。
【図２】図１のタッチパネルの構成を示す模式図である。
【図３】図１の制御部によって実行されるロック処理を示すフローチャートである。
【図４】図１の記憶部に記憶される表示内容テーブルのデータ構成例を示す図である。
【図５】図１の表示部に表示される表示画面の一例である。
【符号の説明】
【００４３】
１０  デジタルカメラ
２０  制御部
２１  撮像部
２２  Ａ／Ｄ変換部
２３  タッチパネル
２４  表示部
２５  記憶部
２６  画像処理部
２７  操作部
２８  Ｉ／Ｆ
２９  外部記憶Ｉ／Ｏ部
【図１】
2010050783.tif 000003
【図２】
2010050783.tif 000004
【図３】
2010050783.tif 000005
【図４】
2010050783.tif 000006
【図５】
2010050783.tif 000007